(57)【要約】【課題】  極めて簡単に開錠操作が可能なダイヤルロックを提供する。  【解決手段】  第１の開口部１４５及び第２の開口部１４６を有する表示筒１４０に識別番号１３３が表示されたダイヤル筒１３０が回転自在に内装される。ダイヤル筒１３０にハウジング１１０が内装される。表示筒１４０とハウジング１１０とは固定される。第２の開口部１４６から表示筒１４０を回転させると、表示筒１４０の回転軸１３７と一体的に取り付けられた下円板７が回転すると共に第１の開口部１４５に識別番号１３３が回転表示される。下円板７は、ハウジング１１０が有する中円板８を回転させる。下円板７と中円板８とに対向する位置に横切欠部１２ａ，１２ｂを有し、これらが縦切欠部２４ａ，２４ｂと対向しているときは軸方向に移動可能、対向していないときは移動不可能となる係止杆１２０を備える。【選択図】        図６
0003105429.tif 000002
【実用新案登録請求の範囲】
【請求項１】
第１の開口部(145)と、第２の開口部(146)とを外周面に有する円筒部材であって、少なくとも一端(140a)に開口領域を有する表示筒(140)と、
前記第１の開口部(145)と対向可能な外周面に複数の識別符号(133)が配列された表示部(132)と、前記第２の開口部(146)と対向可能な外周面に前記表示部(132)を回転表示させるための操作部(138)と、前記表示部(132)の回転に伴って前記配列中心を中心として回転可能な回転軸(137)と、前記回転軸(137)と一体的に取り付けられ、前記回転軸(137)と平行に切り欠かれた第１の縦切欠部(24a)、及び第１の突起(71)が形成された第１の円板(7)とを有すると共に、前記表示筒(140)に内装されるダイヤル筒(130)と、
前記配列中心の周りを回転可能であると共に、前記第１の円板(7)と対向する面(8b)に形成された第２の突起(82)、及び前記回転軸(137)と平行に切り欠かれた第２の縦切欠部(24b)を有する第２の円板(8)と、前記第１の円板(7)の回転に伴って前記第１の突起(71)と前記第２の突起(82)とが当接可能な位置に前記第２の円板(8)を保持する保持部材(10)と、前記回転軸(137)と直交する方向に切り欠かれた第１の横切欠部(12a)及び第２の横切欠部(12b)が、それぞれ、前記第１の円板(7)及び前記第２の円板(8)に対向する位置に形成された棒状部材(122)と、前記保持部材(10)及び前記棒状部材(122)が取り付けられるベース(111)とを有すると共に、前記ダイヤル筒(130)に内装されるハウジング(110)と、を備え、
前記第１の円板(7)及び前記第２の円板(8)が、前記第１の縦切欠部(24a)及び前記第２の縦切欠部(24b)とこれら縦切欠部(24a,24b)以外の部分との両方において、前記棒状部材(122)の前記第１の横切欠部(12a)及び前記第２の横切欠部(12b)とそれぞれ対向可能であって、
前記第１の縦切欠部(24a)及び前記第２の縦切欠部(24b)が前記棒状部材(122)の前記第１の横切欠部(12a)及び前記第２の横切欠部(12b)とそれぞれ対向している状態において、前記棒状部材(122)がその軸方向に沿って変位可能となり、且つ、
前記第１の円板(7)及び前記第２の円板(8)の前記第１の縦切欠部(24a)及び前記第２の縦切欠部(24b)以外の部分が前記棒状部材(122)の前記第１の横切欠部(12a)及び第２の横切欠部(12b)とそれぞれ対向している状態において、前記棒状部材(122)がその軸方向に沿って変位不可能となるように、前記保持部材(10)及び前記棒状部材(122)が取り付けられたダイヤルロック(100)。
【請求項２】
前記第２の円板(8)が、前記第１の円板(7)と対向する面(8b)と反対側の面(8a)に形成された第３の突起(81)を有し、
前記配列中心の周りを回転可能であると共に、前記第２の円板(8)と対向する面(9b)に形成された第４の突起(92)と、前記回転軸(137)と平行に切り欠かれた第３の縦切欠部(24c)とを有する第３の円板(9)と、をさらに備え、
前記保持部材(10)が、前記第３の円板(9)の回転に伴って前記第３の突起(81)と前記第４の突起(92)とが当接可能に前記第３の円板(9)を保持し、
前記棒状部材(122)が、前記第３の円板(9)に対向する位置に前記回転軸(137)と直交する方向に切り欠かれた第３の横切欠部(12c)を有し、
前記第３の円板(9)が、前記第３の縦切欠部(24c)とこの縦切欠部(24c)以外の部分との両方において、前記棒状部材(122)の前記第３の横切欠部(12c)と対向可能であって、
前記第３の縦切欠部(24c)が前記棒状部材(122)の前記第３の横切欠部(12c)と対向している状態において、前記棒状部材(122)がその軸方向に沿って変位可能となり、且つ、
前記第３の円板(9)の前記第３の縦切欠部(24c)以外の部分が前記棒状部材(122)の前記第３の横切欠部(12c)と対向している状態において、前記棒状部材(122)がその軸方向に沿って変位不可能となるように、前記保持部材(10)及び前記棒状部材(122)を収容している請求項１に記載のダイヤルロック(100)。
【考案の詳細な説明】
【技術分野】
【０００１】
本考案は、ダイヤルを所要回数回して開錠を行うダイヤルロックに関するものである。
【背景技術】
【０００２】
０から９までの番号を有する複数のダイヤルを隣接して設け、各ダイヤルをそれぞれ回動し、予め定められた暗証番号に合わせることで開錠できる錠前を用いたダイヤルロックは広く知られている。
【０００３】
しかしながら、このような錠前を開錠することは煩わしいという問題がある。なぜなら、開錠するするためには、全てのダイヤルを一つのダイヤルずつ順に操作しなければならないが、この際、隣接する他のダイヤルも同時に回してしまうことが多いからである。したがって、最後のダイヤルを回す際に、他のダイヤルも一緒に回してしまうと、折角合わせたダイヤルまで再度合わせる必要があるという問題があった。
【考案の開示】
【考案が解決しようとする課題】
【０００４】
本考案は、上記問題点に鑑みてなされたものであって、極めて簡単に開錠操作が可能なダイヤルロックを提供することを目的とする。  
【課題を解決するための手段及び効果】
【０００５】
本考案において、以下の特徴は単独で、若しくは、適宜組合わされて備えられている。前記課題を解決するための本考案のダイヤルロック(100)は、第１の開口部(145)と、第２の開口部(146)とを外周面に有する円筒部材であって、少なくとも一端(140a)に開口領域を有する表示筒(140)と、前記第１の開口部(145)と対向可能な外周面に複数の識別符号(133)が配列された表示部(132)と、前記第２の開口部(146)と対向可能な外周面に前記表示部(132)を回転表示させるための操作部(138)と、前記表示部(132)の回転に伴って前記配列中心を中心として回転可能な回転軸(137)と、前記回転軸(137)と一体的に取り付けられ、前記回転軸(137)と平行に切り欠かれた第１の縦切欠部(24a)、及び第１の突起(71)が形成された第１の円板(7)とを有すると共に、前記表示筒(140)に内装されるダイヤル筒(130)と、前記配列中心の周りを回転可能であると共に、前記第１の円板(7)と対向する面(8b)に形成された第２の突起(82)、及び前記回転軸(137)と平行に切り欠かれた第２の縦切欠部(24b)を有する第２の円板(8)と、前記第１の円板(7)の回転に伴って前記第１の突起(71)と前記第２の突起(82)とが当接可能な位置に前記第２の円板(8)を保持する保持部材(10)と、前記回転軸(137)と直交する方向に切り欠かれた第１の横切欠部(12a)及び第２の横切欠部(12b)が、それぞれ、前記第１の円板(7)及び前記第２の円板(8)に対向する位置に形成された棒状部材(122)と、前記保持部材(10)及び前記棒状部材(122)が取り付けられるベース(111)とを有すると共に、前記ダイヤル筒(130)に内装されるハウジング(110)と、を備え、前記第１の円板(7)及び前記第２の円板(8)が、前記第１の縦切欠部(24a)及び前記第２の縦切欠部(24b)とこれら縦切欠部(24a,24b)以外の部分との両方において、前記棒状部材(122)の前記第１の横切欠部(12a)及び前記第２の横切欠部(12b)とそれぞれ対向可能であって、前記第１の縦切欠部(24a)及び前記第２の縦切欠部(24b)が前記棒状部材(122)の前記第１の横切欠部(12a)及び前記第２の横切欠部(12b)とそれぞれ対向している状態において、前記棒状部材(122)がその軸方向に沿って変位可能となり、且つ、前記第１の円板(7)及び前記第２の円板(8)の前記第１の縦切欠部(24a)及び前記第２の縦切欠部(24b)以外の部分が前記棒状部材(122)の前記第１の横切欠部(12a)及び第２の横切欠部(12b)とそれぞれ対向している状態において、前記棒状部材(122)がその軸方向に沿って変位不可能となるように、前記保持部材(10)及び前記棒状部材(122)が取り付けられたことを特徴とする。このようなダイヤルロックによれば、一つの操作部(138)を操作してダイヤル筒(130)を回転させるのみで、極めて簡単に開錠操作することができる。
【０００６】
また、本考案の錠前において、前記第２の円板(8)が、前記第１の円板(7)と対向する面(8b)と反対側の面(8a)に形成された第３の突起(81)を有し、前記配列中心の周りを回転可能であると共に、前記第２の円板(8)と対向する面(9b)に形成された第４の突起(92)と、前記回転軸(137)と平行に切り欠かれた第３の縦切欠部(24c)とを有する第３の円板(9)と、をさらに備え、前記保持部材(10)が、前記第３の円板(9)の回転に伴って前記第３の突起(81)と前記第４の突起(92)とが当接可能に前記第３の円板(9)を保持し、前記棒状部材(122)が、前記第３の円板(9)に対向する位置に前記回転軸(137)と直交する方向に切り欠かれた第３の横切欠部(12c)を有し、前記第３の円板(9)が、前記第３の縦切欠部(24c)とこの縦切欠部(24c)以外の部分との両方において、前記棒状部材(122)の前記第３の横切欠部(12c)と対向可能であって、前記第３の縦切欠部(24c)が前記棒状部材(122)の前記第３の横切欠部(12c)と対向している状態において、前記棒状部材(122)がその軸方向に沿って変位可能となり、且つ、前記第３の円板(9)の前記第３の縦切欠部(24c)以外の部分が前記棒状部材(122)の前記第３の横切欠部(12c)と対向している状態において、前記棒状部材(122)がその軸方向に沿って変位不可能となるように、前記保持部材(10)及び前記棒状部材(122)を収容していることが好ましい。
【０００７】
このような構成であっても、簡易な構成で、開錠操作の組み合わせの通り数がさらに増えるので、より防犯効果が向上し、なおかつ簡単に開錠操作ができる。
【考案を実施するための最良の形態】
【０００８】
以下、本考案に係るダイヤルロックの好適な実施の形態について図１〜図７を参照しつつ説明する。ここで、図１〜図４は、極めて簡単に開錠操作が可能な錠前についての図であるが、本考案は、この錠前をダイヤルロックに適用したものである。従って、先ず、図１〜図４に基づいて錠前に関する参考実施形態ついて説明する。
【０００９】
（参考実施形態）
図１は、参考実施形態に関わる錠前の正断面図、図２は、図１に図示するＡ−Ａ線断面図である。図１において、本考案に関わる錠前１は、識別符号が表示された表示部材６と、操作部材としてのダイヤル５と、第１の円板として最下段に配置された下円板７と、第２の円板として中段に配置された中円板８と、最上段に配置された上円板９と、下円板７、中円板８、及び上円板９を保持する円板保持部材１０と、棒状の係止杆１３と、下面中央部に円形の開口部１５ａを有したハウジング１５とを主要な構成部品として備えている。これらの各構成について、以下に詳細に説明する。
【００１０】
表示部材６は、ハウジング１５に固定して取り付けられている。また、表示部材６の表面には、ダイヤル傘３に表示された矢印３ａで指示可能であるように、環状にほぼ等間隔で０から９までの番号が識別符号として配列表示されている。なお、識別符号は、０から９までの番号に限られず、任意の番号を使用しても構わない。また、数字に限られるものではなく、記号やアルファベットなどであってもよい。
【００１１】
図１において、ダイヤル５は、ダイヤル軸２と、ダイヤル傘３と、ダイヤル軸支持板４とから構成されており、ハウジング１５の開口部１５ａで軸受１８，１９によって回転自在に支持されている。ダイヤル傘３は、開錠操作時、表示部材６に表示された複数の番号のうちのいずれか１つを回転角度に応じて選択的に指示するために、その表面に矢印３ａが表示されており、ダイヤル軸２に固定して取り付けられている。なお、表示部材６に表示された複数の番号のうちのいずれか１つを回転角度に応じて選択的に指示可能な目印であれば矢印３ａに限られるものではない。ダイヤル軸支持板４は、中央部が開口された円板であって、中央部の開口にダイヤル軸２が嵌入され、一体的に取り付けられている。そして、ダイヤル軸２は、ダイヤル傘３とダイヤル軸支持板４とによって、紙面の上下方向に移動しないように構成されている。また、ダイヤル軸２を左右に回すことができるように、その先端が露出している。即ち、ダイヤル軸２を回すことによって、ダイヤル傘３に表示された矢印３ａを、ハウジング１５に固定された表示部材６に表示された番号のうちのいずれか１つを回転角度に応じて選択的に指示可能な構成となっている。なお、ダイヤル軸支持板４とハウジング１５の間、及びダイヤル傘３と軸受１９の間には、ダイヤル軸２を滑らかに回すことができるようにスラスト軸受１７，２０が配置されている。
【００１２】
図１及び図２において、下円板７は、ダイヤル５の回転に伴って表示部材６に表示された複数の番号の配列中心の周りを回転可能であるように裏面７ｂがダイヤル軸２の先端に固定して取り付けられ、ハウジング１５内に収納されている。また、下円板７の表面７ａには、下円板７の中心から所定の位置に作動突起７１が設けられており、下円板７の作動突起７１は、下円板７が回転したとき、その中心から所定の位置を半径とした円弧状の軌道を描くこととなる。さらに、下円板７の外周端の一部は、外周にダイヤル軸２と平行に切り欠かれた縦切欠部２４ａ（図示されていないが、図２に図示される縦切欠部２４ｂと同様の切欠形状をしている。）が形成されている。なお、縦切欠部２４ａについては、以後の説明にも記載されているので、縦切欠部２４ｂと同様の切欠形状であることを覚えておくと良い。
【００１３】
中円板８、及び上円板９は、いずれもその中央に孔２６が形成されており、前記孔２６に沿った中円板８及び上円板９の内周には、周方向に沿ってほぼ等間隔に半円に切り欠かれた係合溝２５が形成されている。この係合溝２５は、後述する係合球２３と係合可能となっている。なお、この係合溝２５の各溝は、表示部材６のいずれかの番号と対応しており、係合球２３と係合溝２５が係合しているとき、ダイヤル傘３の矢印３ａはいずれかの番号を示すように構成されている。また、中円板８の表面８ａには、下円板７と同様、その中心から所定の位置に作動突起８１が設けられている。一方、中円板８の裏面８ｂには、ダイヤル２を回して下円板７が回転しているときに下円板７の作動突起７１と当接する位置に被作動突起８２が設けられ、上円板９の裏面９ｂには、中円板８が回転しているときに中円板８の作動突起８１と当接する位置に被作動突起９２が設けられている。
【００１４】
また、中円板８、及び上円板９は、下円板７と同様、外周にダイヤル軸２と平行に切り欠かれた縦切欠部２４ｂ，２４ｃ（図示されていないが、図２に図示される縦切欠部２４ｂと同様の形状）が形成されている。そして、中円板８、及び上円板９の孔２６には、ダイヤル軸２と同軸上であって、ハウジング１５の開口部１５ａを有する面と反対側の面に固定されて軸柱１６が位置している。この軸柱１６には、中円板８、及び上円板９が配置される位置に板バネ２２が取り付けられている。また、板バネ２２には、係合溝２５と係合可能な位置に係合球２３が取り付けられている。
【００１５】
円板保持部材１０は、薄肉円筒の一部を、その長手方向に（組み立てた状態で第２鍵棒１２の軸に沿った方向に）所定の幅で切り欠いた形状となっている。また、下円板７の表面７ａと中円板８の裏面８ｂ、及び中円板８の表面８ａと上円板９の裏面９ｂがそれぞれ対向し、かつ下円板７が回転したときに下円板７の作動突起７１と中円板８の被作動突起８２とが、中円板８が回転したときに中円板８の作動突起８１と上円板９の被作動突起９２とがそれぞれ当接するように、中円板８と上円板９を内装している。また、円板保持部材１０の内径側であって、各円板７，８，９の作動突起７１，８１、及び被作動突起８２，９２を避ける位置に、中円板８、及び上円板９の上下方向の位置を保持するための円板支え板２１が周方向に取り付けられている。なお、中円板８、及び上円板９を支持する円板支え板２１の面と、中円板８、及び上円板９とは摺動するので、円板支え板２１は真鍮などの材質であることが好ましい。また、円板保持部材１０は、組立て時に、中円板８、及び上円板９を円筒保持部材１０に内装できるように、第１保持部材１０ａと第２保持部材１０ｂとに分割されて構成され、中円板８、及び上円板９を内装したのちに、第１保持部材１０ａと第２保持部材１０ｂを連結させて円板保持部材１０を形成している。
【００１６】
次に、係止杆１３について、図３を用いて説明する。図３は、本考案の一実施形態に関わる錠前の係止杆１３の正面図である。図３において、棒状の係止杆１３は、１本の棒を屈曲させてＪ状に形成したものであり、先端が短い第１鍵棒１１と、先端が長い第２鍵棒１２とを有している。そして、第２鍵棒１２の長手方向のほぼ中央部に、その径外方向に突出した留め金１４を有しており、それより下方に各円板７、８、９の外周と係合するよう、各円板７，８，９と対向する位置に、ダイヤル軸２と直交する方向に切り欠かれた横切欠部１２ａ，１２ｂ，１２ｃを有している。
【００１７】
図１に戻って、ハウジング１５は、下円板７、中円板８、上円板９、円板保持部材１０、及び係止杆１３の第２鍵棒１２の留め金１４より下方の部位(即ち、留め金１４より下方であって横切欠部１２ａ，１２ｂ，１２ｃを含む部位)を収納している。また、その下面中央部に円形の開口部１５ａと、上面に第２鍵棒１２を貫通させるための貫通孔１５ｃを有している。円形の開口部１５ａにはダイヤル軸２が、貫通孔１５ｃには係止杆１３の第２鍵棒１２が貫通している。なお、貫通孔１５ｃは、各円板７、８、９の外周が第２鍵棒１２の横切欠部１２ａ，１２ｂ，１２ｃに係合し、かつ下円板７と中円板８と上円板９の縦切欠部２４ａ，２４ｂ，２４ｃが横切欠部１２ａ，１２ｂ，１２ｃと対向している状態において、係止杆１３がその軸方向に沿って変位可能となるよう、貫通孔１５ｃが設けられている。また、ハウジング１５は、第１鍵棒１１の先端が係合可能な係合穴１５ｂをも有している。
【００１８】
次に、参考実施形態における錠前１の作用について詳しく説明する。錠前１は、予め定められた開錠番号に従ってダイヤル軸２が操作されることによって開錠される。即ち、各円板７，８，９の外周は、係止杆１３の第２鍵棒１２に設けられた横切欠部１２ａ，１２ｂ，１２ｃに係合しているので、各円板７，８，９に形成された縦切欠部２４ａ，２４ｂ，２４ｃのそれぞれが第２鍵棒１２の横切欠部１２ａ，１２ｂ，１２ｃに対向して係合されていない限り、第２鍵棒１２の軸方向に沿った上下方向の移動が制限され、変位不可能となる。一方、各円板７，８，９に形成された縦切欠部２４ａ，２４ｂ，２４ｃが第２鍵棒１２に係合されれば、第２鍵棒１２の軸方向に沿った上下方向の移動の制限が解除され、変位可能となる。以下に、ダイヤル軸２の操作方法について、図１、図２、及び図４を用いて説明する。
【００１９】
図４は、本考案の一実施形態に関わる錠前１の底面図である。なお、参考実施形態における開錠番号は、「右３→左７→右５」であるとする。先ず、ダイヤル軸２を右に回転させる。ここで、下円板７は、ダイヤル軸２に固定されて取り付けられているので、ダイヤル軸２の回転に伴って下円板７も回転する。すると、ダイヤル軸２を１回転させるまでに下円板７の作動突起７１と中円板８の被作動突起８２が当接し、以降、ダイヤル軸２の回転に伴って下円板７と中円板８が回転する。即ち、少なくとも２回転目以降は、必ず下円板７と中円板８がともに回転することとなる。さらに、ダイヤル軸２を回転させると、ダイヤル軸２の回転が２回転終了するまでに中円板８の作動突起８１と上円板９の被作動突起９２が当接し、以降、ダイヤル軸２の回転に伴って下円板７、中円板８、及び上円板９が回転する。このときも、前述同様、少なくともダイヤル軸２の回転が３回転目終了以降は、必ず下円板７、中円板８、及び上円板９がともに回転することになる。そして、ダイヤル軸２の回転が３回転目終了以降に、ダイヤル傘３の矢印３ａが表示部材６の『３』を指す位置でダイヤル軸２の回転を止める。このとき、上円板９に形成された縦切欠部２４ｃは、係止杆１３の第２鍵棒１２の横切欠部１２ｃと対向する位置に配置される。
【００２０】
次に、ダイヤル軸２を左に回転させる。すると、前述同様に、ダイヤル軸２を１回転させるまでに下円板７の作動突起７１と中円板８の被作動突起８２が当接し、以降、ダイヤル軸２の回転に伴って下円板７と中円板８が回転する。そして、ダイヤル軸２の２回転目に、ダイヤル傘３の矢印３ａが表示部材６の『７』を指す位置でダイヤル軸２の回転を止める。このとき、中円板８に形成された縦切欠部２４ｂは、係止杆１３の第２鍵棒１２の横切欠部１２ｂと対向する位置に配置される。
【００２１】
最後に、ダイヤル軸２を右に回転させて、ダイヤル傘３の矢印３ａが表示部材６の『５』を指す位置でダイヤル軸２の回転を止める。このとき、下円板７に形成された縦切欠部２４ａは、係止杆１３の第２鍵棒１２の横切欠部１２ａと対向する位置に配置される。
【００２２】
このように、各円板７，８，９に形成された縦切欠部２４ａ，２４ｂ，２４ｃがそれぞれ係止杆１３の第２鍵棒１２の横切欠部１２ａ，１２ｂ，１２ｃと対向して配置されると、第２鍵棒１２を上下方向に移動させて開錠することが可能となる。即ち、第２鍵棒１２を上方向に引き上げると、第１鍵棒１１とハウジング１５の係合穴１５ｂが解除される。ただし、第２鍵棒１３は、留め金１４によって上方向への移動が制限されているので、たとえ、各円板７，８，９に形成された縦切欠部２４ａ，２４ｂ，２４ｃがそれぞれ係止杆１３の第２鍵棒１２の横切欠部１２ａ，１２ｂ，１２ｃと対向して配置されたとしても、第２鍵棒１２をハウジング１５から完全に引き抜くことができない。
【００２３】
なお、錠前１の開錠操作を行い、第１鍵棒１１とハウジング１５の係合穴１５ｂとの係合が解除されたのち、再び第１鍵棒１１とハウジング１５の係合穴１５ｂとを係合させてダイヤル操作を行うと施錠されることはいうまでもない。
【００２４】
また、中円板８、及び上円板９は、軸柱１６を中心に回転する。ここで、軸柱１６はハウジング１５に固定されており、板バネ２２と係合球２３は軸柱１６に固定されている。したがって、中円板８、及び上円板９が回転すると、板バネ２２が紙面の左右方向に弾性変形するので、係合球２３は、係合溝２５の形状に沿って移動することになる。ここで、係合球２３と係合溝２５が係合しているとき、ダイヤル傘３の矢印３ａが表示部材６のいずれかの番号を示す。即ち、ダイヤル傘３の矢印３ａは、表示部材６に表示される番号と番号の間（中途半端な位置）ではダイヤル軸２が固定されず、不安定な状態となる。
【００２５】
以上のように、参考実施形態の錠前１では、一つのダイヤル軸５を操作するのみで、極めて簡単に錠前１の開錠操作が可能となる。
【００２６】
なお、参考実施形態では、Ｊ字状の係止杆１３を備えた錠前１について説明したが、これに限られるものではない。例えば、図５に示されるような自転車やバイクの車輪を施錠するときに用いられるワイヤー付きの錠前であってもよい。図５は、本考案の実施形態に関わる錠前の変形として示す、ワイヤー付の錠前１の概観図である。図５に図示される錠前１のダイヤル５と各円板７，８，９は、Ｊ字状の係止杆１３を備えた錠前１と同様の構成である。したがって、ダイヤル軸２による開錠操作方法、及び各円板７，８，９の作用については、Ｊ字状の係止杆１３を備えた錠前１と同様である。異なるのは、係止杆１３の替わりにワイヤー２７と鍵２８を使用することによって鍵２８がハウジング１５に着脱可能に取り付けられている点、及び係止杆１３の替わりにワイヤー２７と鍵２８を使用したことによってハウジング１５の構成が若干異なることとなった点である。
【００２７】
（本考案に関わる実施形態）
本考案に関わる実施形態のダイヤルロック１００について、図６及び図７を参照して説明する。本考案に関わる実施形態のダイヤルロック１００は、バイクや自転車の盗難防止に用いるものであって、車輪に着脱可能な金属製のＵ字部材によって施開錠する一般的に存在するＵ字ロックに参考実施形態に係る錠前を応用した例である。ここで、図６は、本考案に関わる実施形態のダイヤルロック１００の立面図、図７は、かかるダイヤルロック１００を分解した概略図である。なお、参考実施形態で説明した錠前１と共通する部位については、図１〜図５に付した符号と同様の符号を付すと共に、説明を割愛する。
【００２８】
図６において、本考案に関わるダイヤルロック１００は、本体部１０５とＵ字杆１２０とを有する。
【００２９】
本体部１０５は、図７に図示されるように、ハウジング１１０と、ダイヤル筒１３０と、表示筒１４０とを有する。そして、ハウジング１１０がダイヤル筒１３０に収納され、ダイヤル筒１３０が表示筒１４０に収納される。
【００３０】
ハウジング１１０は、板状のベース１１１と、両端が開放された筒部１１２とを有する。ベース１１１は、Ｕ字杆の端部が係合されるＵ字杆係合穴１１３と、Ｕ字杆が貫通されるＵ字杆貫通孔１１４とを有する。筒部１１２は、一端がベース１１１の片面に取り付けられる。筒部１１２には、参考実施形態で説明した開錠機構と同様の開錠機構が収納される。即ち、中円板８、上円板９、円板保持部材１０、軸柱１６、板バネ２２及び係合球２３が収納される。なお、中円板８が作動突起８１及び被作動突起８２を有する点、上円板が被作動突起９２を有する点は同様である。
【００３１】
ダイヤル筒１３０は、円筒部材で構成されており、一方の端部１３０ａは開放され、他方の端部１３０ｂは閉鎖される。表示筒１３０の内周径はハウジング１１０の外周径よりも若干大きく、表示筒１３０の一方の端部１３０ａからハウジング１１０を収納可能に構成される。
【００３２】
また、ダイヤル筒１３０の他方の端部１３０ｂの内側の閉鎖面１３１には、回転軸１３７が取り付けられる。この回転軸１３７は、ダイヤル筒１３０の中心軸とが同心となるように取り付けられる。さらに、参考実施形態で説明した下円板７が回転軸１３７に取り付けられる。なお、回転軸１３７と下円板７とを一つの部材で構成されてもよい。
【００３３】
さらに、ダイヤル筒１３０の軸心方向のほぼ中央の外周部に、周面に沿って表示部１３２が形成される。表示部１３２には、識別記号として０〜９の数字が記載される。なお、表示部１３２に表示される識別記号は数字に限られず、例えば、図形等であってもよい。また、ダイヤル筒１３０の下部には、操作部１３８が設けられる。
【００３４】
表示筒１４０は、円筒部材で構成されており、一方の端部１４０ａは開放され、他方の端部１４０ｂは閉鎖される。表示筒１４０の内周径はダイヤル筒１３０の外周径よりも若干大きく、表示筒１４０の一方の端部１４０ａからダイヤル筒１３０を収納可能に構成される。
【００３５】
また、表示筒１４０は、ダイヤル筒１３０の表示部１３２に対応する外周部に開口部を有する。この開口部は、記載された番号を視認可能な番号表示窓１４５であるが、開口されていなくても、ガラス等の透明部材であって、表示部１３２に記載された番号を視認できればよい。さらに、ダイヤル筒１３０の操作部１３８に対応する外周部に開口部を有する。この開口部は、ダイヤル筒１３０の操作部１３８を操作するために設けられた操作窓１４６である。なお、表示筒１４０はダイヤル筒１３０を収納した後にベース１１１に固定される。また、ダイヤル筒１３０は表示筒１４０の内部で回転自在に配置される。
【００３６】
Ｕ字杆１２０は、第１鍵棒１２１と第２鍵棒１２２とを有する。第１鍵棒１２１は、端部１２１ａがベース１１１のＵ字杆係合穴１１３に係合可能に構成される。第２鍵棒１２２は、ベース１１１のＵ字杆貫通孔１１４に貫通可能に構成されると共に、端部１２２ａには、参考実施形態で説明した横切欠部１２ａ〜１２ｃと同様の横切欠部が形成される。
【００３７】
次に、本考案に関わる実施形態のダイヤルロック１００の作用について説明する。ダイヤルロック１００においても、予め定められた開錠番号に従って表示筒１３０が操作されることによって開錠される。なお、本考案に関わる実施形態においては、番号表示窓１４５から識別番号１３３を視認しつつ操作窓１４６からダイヤル筒１３０を回転させて開錠番号に合わせることによって開錠操作を行う。即ち、ダイヤル筒１３０を回転操作すると、回転軸１３７と一体となった下円板７が回転する。そして、参考実施形態で説明した開錠作用と同様に、ダイヤルロック１００が開錠される。ダイヤルロック１００が開錠されると、Ｕ字杆１２０を引き抜くことが可能となる。
【００３８】
このように、各円板７，８，９に形成された縦切欠部２４ａ〜２４ｃが、それぞれ、Ｕ字杆１２０の第２鍵棒１２２の横切欠部１２ａ〜１２ｃと対向して配置されると、第２鍵棒１２２を上下方向に移動させて開錠することが可能となる。即ち、第２鍵棒１２２を上方向に引き上げると、第１鍵棒１２１が、ベース１１１のＵ字杆係合穴１１３との係合が解除される。
【００３９】
なお、ダイヤルロック１００の開錠操作を行い、第１鍵棒１２１がベース１１１のＵ字杆係合穴１１３との係合が解除されたのち、再び第１鍵棒１２１とベース１１１のＵ字杆係合穴１１３とを係合させて、番号表示窓１４５からダイヤル筒１３０の回転操作を行うと施錠されることはいうまでもない。
【００４０】
以上のように、本考案に関わる実施形態のダイヤルロック１００においても、一つの表示筒１３０を操作するのみで、極めて簡単にダイヤルロック１００の開錠操作が可能となる。
【００４１】
なお、本考案に関わる実施形態においても、参考実施形態と同様に、図５に示されるような自転車やバイクの車輪を施錠するときに用いられるワイヤー付きの錠前であってもよい。
【００４２】
尚、本考案は、上記の好ましい実施形態に記載されているが、本考案はそれだけに制限されない。本考案の精神と範囲から逸脱することのない様々な実施形態が他になされることができることは理解されよう。例えば、上述の実施形態においては下円板７、中円板８及び上円板９を備えているが、少なくとも下円板７と中円板８とを備えていれば、本考案の目的を達成することができる。また、３枚より多くの円板を備えている場合であっても本考案の目的を達成することができる。
【図面の簡単な説明】
【００４３】
【図１】本考案の参考実施形態に関わる錠前の正断面図である。
【図２】図１に図示するＡ−Ａ線断面図である。
【図３】参考実施形態に関わる錠前の係止杆の正面図である。
【図４】参考実施形態に関わる錠前の底面図である。
【図５】参考実施形態に関わる錠前の変形例として示す、ワイヤー付の錠前の概観図である。
【図６】本考案に関わる実施形態のダイヤルロックの正面図である。
【図７】本考案に関わる実施形態のダイヤルロックを分解した概略図であって、（ａ）が、ハウジング、（ｂ）がダイヤル筒、（ｃ）が表示筒を示している。
【符号の説明】
【００４４】
１      錠前
２      ダイヤル軸
３      ダイヤル傘
３ａ    矢印
４      ダイヤル軸支持板
５      ダイヤル
６      表示部材
７      下円板
７ａ    下円板の表面
７ｂ    下円板の裏面
８      中円板
８ａ    中円板の表面
８ｂ    中円板の裏面
９      上円板
９ａ    上円板の表面
９ｂ    上円板の裏面
１０    円板保持部材
１０ａ  第１保持部材
１０ｂ  第２保持部材
１１    第１鍵棒
１２    第２鍵棒
１２ａ〜１２ｃ  横切欠部
１３    係止杆
１４    留め金
１５    ハウジング
１５ａ  開口部
１５ｂ  係合穴
１５ｃ  貫通孔
１６    軸柱
１７，１８，１９，２０  軸受
２１    円板支え板
２２    板バネ
２３    係合球
２４ａ，２４ｂ，２４ｃ    縦切欠部
２５    係合溝
２６    孔
２７    ワイヤー
２８    鍵
７１    下円板の作動突起
８１    中円板の作動突起
８２    中円板の被作動突起
９２    上円板の被作動突起
１００  ダイヤルロック
１０５  本体部
１１０  ハウジング
１１１  ベース
１１２  筒部
１１３  Ｕ字杆係合穴
１１４  Ｕ字杆貫通孔
１２０  Ｕ字杆
１２１  第１鍵棒
１２２  第２鍵棒
１３０  ダイヤル筒
１３１  閉鎖面
１３２  表示部
１３３  識別番号
１３５  下円板の上突起
１３７  回転軸
１３８  操作部
１４０  表示筒
１４５  番号表示窓
１４６  操作窓
【図１】
0003105429.tif 000003
【図２】
0003105429.tif 000004
【図３】
0003105429.tif 000005
【図４】
0003105429.tif 000006
【図５】
0003105429.tif 000007
【図６】
0003105429.tif 000008
【図７】
0003105429.tif 000009